(57)【要約】【課題】  可撓性のディスクを常に一定の形状に保ちながら回転させることができ、ひいては記録や再生を安定して行わせることができるディスク回転装置を提供する。【解決手段】  可撓性のディスクＢを保持するターンテーブル１と、このターンテーブル１を回転させるための駆動手段２とを備えたディスク回転装置Ａであって、ターンテーブル１は、ディスクＢとの間に外周開放状の空間部１５を形成するように設けられ、駆動手段２によって回転させられる回転部材１０と、空間部１５を放射状に仕切るように回転部材１０に複数設けられ、当該回転部材１０と一体になって所定の方向に回転すると、空間部１５から外周側に流れる空気流を起こすブレード１１とを有して構成されている。【選択図】  図１
2006190372.tif 000002
【特許請求の範囲】
【請求項１】
記録媒体として用いられる可撓性のディスクを保持するターンテーブルと、このターンテーブルを回転させるための駆動手段とを備えたディスク回転装置であって、
上記ターンテーブルは、
上記ディスクとの間に外周開放状の空間部を形成するように設けられ、上記駆動手段によって回転させられる回転部材と、
上記空間部を放射状に仕切るように上記回転部材に複数設けられ、当該回転部材と一体になって所定の方向に回転すると、上記空間部から外周側に流れる空気流を起こすブレードと、
を有して構成されていることを特徴とする、ディスク回転装置。
【請求項２】
上記ターンテーブルはさらに、
上記回転部材との間に上記空間部およびブレードを挟み込みつつこれらとは反対側において上記ディスクを平坦に保持可能で、かつ、厚み方向に通気性をもつように設けられ、上記回転部材と一体になって回転するカバープレートを、有して構成されている、請求項１に記載のディスク回転装置。
【請求項３】
上記カバープレートは、多孔質状に形成されている、請求項２に記載のディスク回転装置。
【請求項４】
上記空間部の外周側を覆うようにダクトが設けられており、このダクトには、強制的に排気を行う排気ファンが設けられている、請求項１ないし３のいずれかに記載のディスク回転装置。
【請求項５】
上記ターンテーブルは、上記ディスクを離脱させる際、上記所定の方向とは逆方向に回転させられる、請求項１ないし４のいずれかに記載のディスク回転装置。
【発明の詳細な説明】
【技術分野】
【０００１】
本願発明は、たとえば可撓性の光ディスクを記録時や再生時に回転させるディスク回転装置に関する。
【背景技術】
【０００２】
たとえばディスクライブラリに用いられる光ディスクは、装置全体の小型化や大容量化などの点で有利なことから、厚みが１００μｍ程度で可撓性を有するものが提案されている。このような可撓性の光ディスクを記録時や再生時に回転させるための従来のディスク回転装置としては、たとえば特許文献１に開示されたものがある。
【０００３】
同文献に開示されたディスク回転装置は、光ディスクの内周部および外周部のそれぞれを環状のリテーナに挟み込んだものをディスクユニットとして用い、このディスクユニットを保持しつつ回転させるようにターンテーブルやスピンドルモータを有して構成されている。ターンテーブルには、光ディスクの内周側下面部分と外周側下面部分とのそれぞれに当接する環状のフランジ（衝当面）が設けられており、これら内周側のフランジから外周側のフランジまでの間には、光ディスクに塞がれた状態で空間部が形成されるようになっている。また、内周側のフランジと外周側のフランジとの間で各フランジの近傍には、厚み方向に貫通するように通気孔（通気手段）が設けられている。このようなディスク回転装置では、ディスクユニットを保持した状態でターンテーブルが回転すると、内周側の通気孔を介して外部から空間部へと空気が流入する一方、外周側の通気孔を介して空間部から外部へと空気が流出する。つまり、空間部の圧力分布については、外部の気圧を基準にすると、内周側が低圧になるとともに外周側が高圧になり、このような偏った圧力分布によって光ディスクが湾曲する。ターンテーブルが一定速度で回転する場合、空間部の圧力分布が一定の偏った傾向に保たれるため、光ディスクも一定の湾曲した形状に保たれる。これにより、光ディスクに対して記録や再生を行う際には、できる限りターンテーブルが一定速度で回転するように制御され、それに伴い光ディスクの湾曲した表面に沿って光ピックアップ（書き込み／読み出しレンズ）が上下動させられる。
【０００４】
【特許文献１】特表昭６０−５００７８６号公報
【発明の開示】
【発明が解決しようとする課題】
【０００５】
しかしながら、上記従来のディスク回転装置では、ターンテーブルの回転速度が少しでも変化すると、空間部の圧力分布が変わってしまい、光ディスクに面ぶれが発生しやすくなるので、記録時や再生時に光ディスクを一定の形状に保つことが難しく、記録や再生を安定して行うことができないという難点があった。
【０００６】
本願発明は、上記した事情のもとで考え出されたものであって、可撓性のディスクを常に一定の形状に保ちながら回転させることができ、ひいては記録や再生を安定して行わせることができるディスク回転装置を提供することをその課題としている。
【課題を解決するための手段】
【０００７】
上記課題を解決するため、本願発明では、次の技術的手段を講じている。
【０００８】
本願発明によって提供されるディスク回転装置は、記録媒体として用いられる可撓性のディスクを保持するターンテーブルと、このターンテーブルを回転させるための駆動手段とを備えたディスク回転装置であって、上記ターンテーブルは、上記ディスクとの間に外周開放状の空間部を形成するように設けられ、上記駆動手段によって回転させられる回転部材と、上記空間部を放射状に仕切るように上記回転部材に複数設けられ、当該回転部材と一体になって所定の方向に回転すると、上記空間部から外周側に流れる空気流を起こすブレードと、を有して構成されていることを特徴としている。
【０００９】
好ましい実施の形態としては、上記ターンテーブルはさらに、上記回転部材との間に上記空間部およびブレードを挟み込みつつこれらとは反対側において上記ディスクを平坦に保持可能で、かつ、厚み方向に通気性をもつように設けられ、上記回転部材と一体になって回転するカバープレートを、有して構成されている。
【００１０】
このような構成によれば、ターンテーブルが可撓性のディスクを保持した状態で所定の方向に回転すると、外周側へと向かう空気流が空間部に発生し、当該空間部が負圧状態となる。このような空間部の上方において、たとえば厚み方向に通気性をもつカバープレートにディスクが保持されている場合には、カバープレートとディスクとの間に真空吸着力が生じ、当該ディスクがカバープレートに対して平坦に吸着した状態となる。なお、カバープレートを用いることなくブレードの上部にディスクを直接保持させるようにしてもよい。その場合、ディスクがブレードの上部に吸着した状態となるため、ブレードの数が多くなるほどディスクを平坦な姿勢で保持しやすい。したがって、本願発明のディスク回転装置によれば、可撓性のディスクに面ぶれを生じさせることなく、当該ディスクを常に一定の平坦な姿勢に保ちながら回転させることができ、ひいては記録や再生を安定して行わせることができる。
【００１１】
他の好ましい実施の形態としては、上記カバープレートは、多孔質状に形成されている。
【００１２】
このような構成によれば、通気性をもちつつディスクを平坦に保持可能なものとして、多孔質状のカバープレートを好適に用いることができる。
【００１３】
他の好ましい実施の形態としては、上記空間部の外周側を覆うようにダクトが設けられており、このダクトには、強制的に排気を行う排気ファンが設けられている。
【００１４】
このような構成によれば、たとえばディスク回転装置が配置される筐体内の熱の排出を効率良く行うことができる。また、ターンテーブルが回転停止した状態でも排気ファンを強制的に始動させることにより、空間部に負圧状態を発生させることができる。
【００１５】
他の好ましい実施の形態としては、上記ターンテーブルは、上記ディスクを離脱させる際、上記所定の方向とは逆方向に回転させられる。
【００１６】
このような構成によれば、ディスクを吸着させる場合とは逆方向にターンテーブルが回転すると、ディスクが空気圧により浮上させられるため、ターンテーブルからディスクを容易に離脱させることができる。
【００１７】
本願発明のその他の特徴および利点は、添付図面を参照して以下に行う詳細な説明によって、より明らかとなろう。
【発明を実施するための最良の形態】
【００１８】
以下、本願発明の好ましい実施の形態を、図面を参照して具体的に説明する。図１〜３は、本願発明に係るディスク回転装置の一実施形態を示している。
【００１９】
図１に示されているように、本実施形態のディスク回転装置Ａは、たとえば厚みが１００μｍ程度で可撓性を有する光ディスクＢを記録時や再生時に回転させるためのものであり、図示しないピックアップユニットやディスク搬送機構とともに筐体内に配置されている。このディスク回転装置Ａは、ターンテーブル１、スピンドルモータ２、およびディスク押さえ用のクランプ部材３を構成要素として備えており、特にターンテーブル１に特徴を有する。
【００２０】
図１によく示されているように、ターンテーブル１は、スピンドルモータ２によって回転させられる鍔付き筒状の回転部材１０と、この回転部材１０に対して放射状に設けられた複数のブレード１１と、ブレード１１の上部を覆うように設けられたカバープレート１２とを有して構成されている。
【００２１】
回転部材１０の筒部１０Ａには、スピンドルモータ２の回転軸２０が固定されている。この筒部１０Ａの上面側には、光ディスクＢの中心孔Ｂ１に嵌るようにボス１０Ｂが設けられており、ボス１０Ｂの外周側には、光ディスクＢの裏面と平坦に接するように平らな面が形成されている。このボス１０Ｂには、クランプ部材３が嵌められるようになっている。筒部１０Ａの下端より外周側には、カバープレート１２との間に外周開放状の空間部１５を形成するように鍔部１０Ｃが設けられている。この鍔部１０Ｃの上面側には、上記複数のブレード１１が等角度おきに位置して空間部１５を放射状に仕切るように設けられている。このような回転部材１０は、平面的に光ディスクＢと同程度の外径寸法をもつ。
【００２２】
ブレード１１は、図２によく示されているように、回転部材１０と一体になって例えば反時計回りの方向（矢印で示す方向）に回転すると、空間部１５から外周側へと流れる空気流を起こすように設計されており、そのような空気流の発生に適した流線形状をもつ。上記とは逆方向（矢印の逆向きとなる時計回りの方向）にブレード１１が回転すると、外周側から空間部１５へと空気が吸い込まれる。各ブレード１１の先端１１Ａは、回転部材１０の鍔部１０Ｃの外周やカバープレート１２の外周に概ね一致している。このようなブレード１１は、カバープレート１２を回転軸２０に対して直角に配置しつつ平坦に支持する役割も兼ねており、各ブレード１１の上部にカバープレート１２の裏面が当接している。なお、ブレードの先端は、回転部材やカバープレートの外周側に若干突き出るようにしてもよい。そうした場合、たとえば時計回りの方向にブレードが回転する際には、外周側から空間部へと効率良く空気が吸い込まれる。
【００２３】
カバープレート１２は、図１によく示されているように、たとえば多孔質状のセラミックによって円板状に形成されたものであり、このカバープレート１２には、回転部材１０の筒部１０Ａが収まるように開口部１２Ａが設けられている。カバープレート１２の上面は、きめ細かい微小孔を有するものの、巨視的には光ディスクＢの裏面と平坦に接するように平面状となっている。このカバープレート１２は、平面的に光ディスクＢと同程度の外径寸法をもつとともに、厚み方向に通気性をもつようになっており、カバープレート１２と鍔部１０Ｃとの間には、複数のブレード１１および空間部１５が挟み込まれている。このようなカバープレート１２は、回転部材１０およびブレード１１と一体になって回転する。
【００２４】
次に、ディスク回転装置Ａの作用について説明する。
【００２５】
図３の（ａ）に示されているように、ターンテーブル１に光ディスクＢを載せる際には、ターンテーブル１が停止した状態にあり、そうした状態でカバープレート１２の上面に光ディスクＢが搬送されてくる。ターンテーブル１の外側方には、ローラなどによる搬送機構が設けられており（図示略）、この搬送機構によって光ディスクＢがカバープレート１２の上面に載置された後、クランプ部材３が下降する。これにより、光ディスクＢの中心孔Ｂ１がボス１０Ｂに嵌合し、カバープレート１２や筒部１０Ａの上面とクランプ部材３との間に光ディスクＢが挟持される。
【００２６】
その後、光ディスクＢに対して記録や再生を行うときには、図３の（ｂ）に示されているように、光ディスクＢをカバープレート１２の上面に載せた状態で、ターンテーブル１が上方から見て反時計回りの方向に高速回転する。このとき、回転部材１０の鍔部１０Ｃとカバープレート１２との間の空間部１５においては、ブレード１１が回転することで外周側へと流れる空気流が生じ、空間部１５の圧力が外部の雰囲気圧力よりも低い負圧状態となる。そのため、カバープレート１２に載せられた光ディスクＢの裏面には、カバープレート１２の上面側へと真空吸着させられるような力（真空吸着力）が一様に作用し、これによって光ディスクＢがカバープレート１２の上面に平坦に吸着した状態となる。このような状態は、ターンテーブル１が反時計回りの方向に高速回転している間は維持される。したがって、光ディスクＢに対する記録時や再生時には、ターンテーブル１が高速回転した状態で光ディスクＢが常に平坦に保たれるため、図示しないピックアップユニットをたとえばトラック制御によって光ディスクＢの径方向に移動させる際、ピックアップユニットを大きく上下に変位させることなく平坦な光ディスクＢに沿うように移動させることができ、安定してデータの読み書きを行うことができる。
【００２７】
光ディスクＢに対する記録や再生を終えてターンテーブル１から光ディスクＢを離脱させる際には、ターンテーブル１の回転が停止するとともに、クランプ部材３が上昇する。そして、図３の（ｃ）に示されているように、ターンテーブル１は、記録時や再生時の回転方向とは逆の時計回りの方向に回転する。すると、ブレード１１も時計回りの方向に回転することにより、空間部１５に外周側から空気が導入される状態となる。その結果、カバープレート１２に載せられた光ディスクＢの裏面には、カバープレート１２の上面よりさらに上方へと光ディスクＢを浮上させるような空気圧が発生する。これによって光ディスクＢがカバープレート１２の上面側で若干浮上した状態となる。このとき、光ディスクＢは、径方向に容易に移動させられることとなり、搬送機構によって光ディスクＢがターンテーブル１の外側方へと送られる。
【００２８】
したがって、本実施形態のディスク回転装置Ａによれば、可撓性の光ディスクＢに面ぶれを生じさせることなく、この光ディスクＢを常に一定の平坦な姿勢に保ちながら高速回転させることができ、ひいては記録や再生を安定して行わせることができる。
【００２９】
図４および図５は、本願発明に係るディスク回転装置の他の実施形態を示している。なお、先述した実施形態の構成要素と同一または類似のものについては、同一符号を付してその説明を省略する。
【００３０】
図４および図５に示されているように、他の実施形態においては、ターンテーブル１の周囲に位置して空間部１５の外周側を覆うようにダクト５が設けられており、このダクト５の２箇所には、強制的に排気を行う排気ファン６が設けられている。なお、排気ファンは、たとえば単に１箇所に設けるようにしてもよい。
【００３１】
このような実施形態のディスク回転装置では、記録時や再生時に空間部１５からダクト５内に導かれた空気がさらに外部へと導かれるように排気ファン６が作動する。ディスク回転装置が配置された筐体内においては、ディスク回転装置だけでなく図示しないピックアップユニットや回路基板などの発熱によっても熱がこもりやすいが、排気ファン６が作動すると筐体内に空気の流れが生じるため、これによって筐体内の熱が外部へと効率良く排出される。
【００３２】
また、ターンテーブル１が回転停止した状態から高速回転を始める、たとえば記録開始時や再生開始時においては、ターンテーブル１がある程度高速に回転するまでは光ディスクＢに対して十分な真空吸着力をカバープレート１２の上面に発生させるように、排気ファン６が作動させられる。つまり、ターンテーブル１が回転停止した状態でも排気ファン６が作動すると、空間部１５の空気がダクト５を通じて排気ファン６により外部へと吸い出される。その結果、カバープレート１２の上面においては、光ディスクＢを真空吸着させる力が一様に作用し、ターンテーブル１が回転せずとも光ディスクＢをカバープレート１２の上面に平坦に吸着させることができる。さらに、ターンテーブル１から光ディスクＢを離脱させる際には、ターンテーブル１の回転を停止させた状態のまま、外部の空気をダクト５内に吸入するように排気ファン６を作動させるようにしてもよい。このようにすれば、ターンテーブル１が回転せずともカバープレート１２の上面に光ディスクＢを浮上させるような空気圧が発生するため、排気ファン６を作動させるだけで光ディスクＢをカバープレート１２の上面に若干浮上させることも可能である。
【００３３】
なお、本願発明は、上記の各実施形態に限定されるものではない。
【００３４】
適用するディスクの厚みがある程度大きくてディスクの剛性が高ければ、カバープレートを設けることなくブレードの上部に直接ディスクを保持させるようにしてもよい。その場合、ブレードの数やブレード間の間隔を適当に設計することにより、ディスクをブレードの上部に吸着させた状態で平坦に保持することができる。
【００３５】
適用するディスクとしては、可撓性の光ディスクに限らず、たとえば光磁気ディスクや磁気ディスクでもよい。
【図面の簡単な説明】
【００３６】
【図１】本願発明に係るディスク回転装置の一実施形態を示す切り欠き斜視図である。
【図２】図１のII−II線に沿うディスク回転装置の平面視断面図である。
【図３】図１に示すディスク回転装置の作用を説明するための説明図である。
【図４】本願発明に係るディスク回転装置の他の実施形態を示す平面視断面図である。
【図５】図４に示すディスク回転装置の側面視断面図である。
【符号の説明】
【００３７】
Ａ    ディスク回転装置
Ｂ    光ディスク
１    ターンテーブル
１０  回転部材
１１  ブレード
１２  カバープレート
１５  空間部
２    スピンドルモータ（駆動手段）
５    ダクト
６    排気ファン
【図１】
2006190372.tif 000003
【図２】
2006190372.tif 000004
【図３】
2006190372.tif 000005
【図４】
2006190372.tif 000006
【図５】
2006190372.tif 000007